(57)【特許請求の範囲】
【請求項１】
一対のプレキャストコンクリート（ＰＣ）梁部材の接合構造であって、
前記一対のＰＣ梁部材はフルＰＣ部材であり、
一方のＰＣ梁部材は、
当該一方のＰＣ梁部材に埋設され、接合端部まで延びる梁主筋と、当該一方のＰＣ梁部材の接合端面より梁の軸方向に突出するように設けられたＰＣ嵌合部と、前記ＰＣ嵌合部に埋設され、梁の軸方向に延びる重ね鉄筋とを備え、
他方のＰＣ梁部材は、
当該他方のＰＣ梁部材に埋設され、接合端部まで延びる梁主筋と、当該他方のＰＣ梁部材の接合端面に開口する切欠部とを備え、
前記ＰＣ嵌合部が前記他方のＰＣ梁部材の切欠部に嵌入して、前記重ね鉄筋が、前記一方のＰＣ梁部材及び他方のＰＣ梁部材の梁主筋の継ぎ目に跨るように配置され、前記ＰＣ嵌合部と前記他方のＰＣ梁部材の切欠部との間の空隙にグラウト材が注入されてなることを特徴とするＰＣ梁部材の接合構造。
【請求項２】
一対のＰＣ梁部材の接合構造であって、
前記一対のＰＣ梁部材はハーフＰＣ部材であり、
一方のＰＣ梁部材は、
当該一方のＰＣ梁部材に埋設され、接合端部まで延びる下端筋と、当該一方のＰＣ梁部材の上部に露出するように設けられ、接合端部まで延びる上端筋と、当該一方のＰＣ梁部材の接合端面より梁の軸方向に突出するように設けられたＰＣ嵌合部と、前記ＰＣ嵌合部に埋設され、梁の軸方向に延びる重ね鉄筋とを備え、
他方のＰＣ梁部材は、
当該他方のＰＣ梁部材に埋設され、接合端部まで延びる下端筋と、当該他方のＰＣ梁部材の上部に露出するように設けられ、接合端部まで延びる上端筋と、当該他方のＰＣ梁部材の接合端面に開口する切欠部とを備え、
前記一方のＰＣ梁部材の上端筋又は他方のＰＣ梁部材の上端筋の何れか一方は、端部に機械式継手を備え、
前記ＰＣ嵌合部が前記他方のＰＣ梁部材の切欠部に嵌入して、前記重ね鉄筋は、前記一方のＰＣ梁部材及び他方のＰＣ梁部材の梁主筋の継ぎ目に跨るように配置され、前記機械式継手により前記一方のＰＣ梁部材及び他方のＰＣ梁部材の上端筋が接合され、前記ＰＣ嵌合部と前記他方の切欠部との間の空隙にグラウト材が注入され、前記一方のＰＣ梁部材及び他方のＰＣ梁部材の上部にコンクリートが打設されてなることを特徴とするＰＣ梁部材の接合構造。
【請求項３】
前記他方のＰＣ梁部材の切欠部の内面及びＰＣ嵌合部の表面に凹凸を有することを特徴とする請求項１又は２記載のＰＣ梁部材の接合構造。
【請求項４】
一対のＰＣ梁部材の接合構造であって、
前記一対のＰＣ梁部材はフルＰＣ部材であり、
前記一方のＰＣ梁部材は、
前記一方のＰＣ梁部材に埋設され、接合端部まで延びる梁主筋と、前記一方のＰＣ梁部材の接合端面及び側面に開口する切欠部とを備え、
前記他方のＰＣ梁部材は、
前記他方のＰＣ梁部材に埋設され、接合端部まで延びる梁主筋と、前記他方のＰＣ梁部材の接合端面及び側面に開口し、前記一方のＰＣ梁部材の切欠部とともに梁側面に凹部を形成する切欠部とを備え、
前記凹部に梁の軸方向に延びる重ね鉄筋が埋設されたＰＣ嵌合部材が嵌入して、前記重ね鉄筋が前記一方のＰＣ梁部材及び他方のＰＣ梁部材の梁主筋の継ぎ目に跨るように配置され、前記ＰＣ嵌合部材と前記凹部との間の空隙にグラウト材が注入されてなることを特徴とするＰＣ梁部材の接合構造。
【請求項５】
請求項４記載の一対のＰＣ梁部材の接合構造であって、
前記一対のＰＣ梁部材は、
前記切欠部の通過する部分が省かれたＣ型せん断補強筋と、
前記Ｃ型せん断補強筋の両端部に設けられた接続手段とを備え、
前記Ｃ型せん断補強筋の両端部を中継するように前記Ｃ型せん断補強筋と中継鉄筋とを前記接続手段で接続することを特徴とするＰＣ梁部材の接合構造。
【請求項６】
一対のＰＣ梁部材の接合構造であって、
前記一対のＰＣ梁部材は、ハーフＰＣ部材であり、
一方のＰＣ梁部材は、
当該一方のＰＣ梁部材に埋設され、接合端部まで延びる下端筋と、当該一方のＰＣ梁部材の上方の側面側に露出するように設けられ、接合端部まで延びる両側の上端筋と、当該一方のＰＣ梁部材の接合端面及び上面に開口する切欠部と、前記両側の上端筋の間に設けられ、前記切欠部の端部まで延びる中央の上端筋とを備え、
他方のＰＣ梁部材は、
当該他方のＰＣ梁部材に埋設され、接合端部まで延びる下端筋と、当該他方のＰＣ梁部材の上方の側面側に露出するように設けられ、接合端部まで延びる両側の上端筋と、当該他方のＰＣ梁部材の接合端面及び上面に開口して、前記一方のＰＣ梁部材の切欠部とともに梁上面に凹部を形成する切欠部と、前記両側の上端筋の間に設けられ、前記切欠部の端部まで延びる中央の上端筋とを備え、
梁の軸方向に延びるように埋設された重ね鉄筋と、上部に露出するように設けられ、梁の軸方向に延びる上端中継筋とを備えたＰＣ嵌合部材が、前記凹部に嵌入して、前記重ね鉄筋が前記一方のＰＣ梁部材及び他方のＰＣ梁部材の下端筋の継ぎ目に跨るように配置されるとともに、前記上端中継筋が前記一方のＰＣ梁部材及び他方のＰＣ梁部材の中央の上端筋と略一軸上に並ぶように配置され、前記一方のＰＣ梁部材及び他方のＰＣ梁部材の両端の上端筋が重ね継手により接続され、前記一方のＰＣ梁部材の中央の上端筋及び他方のＰＣ梁部材の中央の上端筋の間に上端中継筋が機械式継手により接合され、前記ＰＣ嵌合部材と前記一方のＰＣ梁部材及び他方のＰＣ梁部材の切欠部との間の空隙にグラウト材が注入され、前記一方のＰＣ梁部材及び他方のＰＣ梁部材の上部にコンクリートが打設されてなることを特徴とするＰＣ梁部材の接合構造。
【請求項７】
一対のＰＣ梁部材の接合構造であって、
前記一対のＰＣ梁部材は、フルＰＣ部材であり、
一方のＰＣ梁部材は、
当該一方のＰＣ梁部材に埋設され、接合端部まで延びる下端筋と、当該一方のＰＣ梁部材の上方の側面側に埋設され、接合端部まで延びる両側の上端筋と、当該一方のＰＣ梁部材の接合端面及び上面に開口する切欠部と、前記両側の上端筋の間に設けられ、その端部が前記切欠部内に露出する中央の上端筋とを備え、
他方のＰＣ梁部材は、
当該他方のＰＣ梁部材に埋設され、接合端部まで延びる下端筋と、当該他方のＰＣ梁部材の上方の側面側に埋設され、接合端部まで延びる両側の上端筋と、当該他方のＰＣ梁部材の接合端面及び上面に開口して、前記一方のＰＣ梁部材の切欠部とともに梁上面に凹部を形成する切欠部と、前記両側の上端筋の間に設けられ、その端部が前記切欠部内に露出する中央の上端筋とを備え、
梁の軸方向に延びるように下部に埋設された下端重ね鉄筋と、上部の側面側に埋設され、梁の軸方向に延びる両側の上端重ね鉄筋と、前記両側の上端重ね鉄筋の間に設けられ、両端が軸方向端部に露出するように梁の軸方向に伸びる中央の上端中継筋とを備えたＰＣ嵌合部材が、前記凹部に嵌入して、前記下端重ね鉄筋が前記一方のＰＣ梁部材及び他方のＰＣ梁部材の下端筋の継ぎ目に跨るように配置されるとともに、前記両側の上端重ね鉄筋が、前記一方のＰＣ梁部材及び他方のＰＣ梁部材の両側の上端筋の継ぎ目に跨るように配置され、前記中央の上端中継筋が、前記一方のＰＣ梁部材及び前記他方のＰＣ梁部材の中央の上端筋の間に機械式継手により接合され、前記ＰＣ嵌合部材と前記一方のＰＣ梁部材及び他方のＰＣ梁部材の切欠部との間の空隙にグラウト材が注入されてなることを特徴とするＰＣ梁部材の接合構造。
【請求項８】
前記一方のＰＣ梁部材と他方のＰＣ梁部材の切欠部の内面及びＰＣ嵌合部材の表面に凹凸を有することを特徴とする請求項４から７の何れか１項記載のＰＣ梁部材の接合構造。
【請求項９】
フルＰＣ部材である一対のＰＣ梁部材の接合方法であって、
一方のＰＣ梁部材には、
当該一方のＰＣ梁部材に埋設され、接合端部まで延びる梁主筋と、当該一方のＰＣ梁部材の接合端面より梁の軸方向に突出するように設けられたＰＣ嵌合部と、前記ＰＣ嵌合部に埋設されるとともに、梁の軸方向に延びる重ね鉄筋とを設けておき、
他方のＰＣ梁部材には、
当該他方のＰＣ梁部材に埋設され、接合端部まで延びる梁主筋と、当該他方のＰＣ梁部材の接合端面に開口する切欠部とを設けておき、
前記一方のＰＣ梁部材と他方のＰＣ梁部材とを梁の軸方向に近接させ、前記ＰＣ嵌合部を前記他方のＰＣ梁部材の切欠部に嵌入させ、
前記重ね鉄筋を前記一方のＰＣ梁部材及び他方のＰＣ梁部材の梁主筋の継ぎ目に跨るように配置させ、
前記ＰＣ嵌合部と前記他方のＰＣ梁部材の切欠部との間の空隙にグラウト材を注入することを特徴とするＰＣ梁部材の接合方法。
【請求項１０】
ハーフＰＣ部材である一対のＰＣ梁部材の接合方法であって、
一方のＰＣ梁部材には、
当該一方のＰＣ梁部材に埋設され、接合端部まで延びる下端筋と、当該一方のＰＣ梁部材の上部に露出するように設けられ、接合端部まで延びる上端筋と、当該一方のＰＣ梁部材の接合端面より梁の軸方向に突出するように設けられたＰＣ嵌合部と、前記ＰＣ嵌合部に埋設され、梁の軸方向に延びる重ね鉄筋とを設けておき、
他方のＰＣ梁部材には、
当該他方のＰＣ梁部材に埋設され、接合端部まで延びる下端筋と、当該他方のＰＣ梁部材の上部に露出するように設けられ、接合端部まで延びる上端筋と、当該他方のＰＣ梁部材の接合端面に開口する切欠部とを設けておき、
前記一方のＰＣ梁部材の上端筋又は他方のＰＣ梁部材の上端筋の何れか一方には、端部に機械式継手を設けておき、
前記一方のＰＣ梁部材又は他方のＰＣ梁部材を梁の軸方向に近接させ、前記ＰＣ嵌合部を前記他方のＰＣ梁部材の切欠部に嵌入させ、
前記重ね鉄筋を、前記一方のＰＣ梁部材及び他方のＰＣ梁部材の梁主筋の継ぎ目に跨るように配置させ、
前記機械式継手により前記一方のＰＣ梁部材及び他方のＰＣ梁部材の上端筋を接合させ、
前記ＰＣ嵌合部と前記他方のＰＣ梁部材の切欠部との間の空隙にグラウト材を注入し、
前記一方のＰＣ梁部材及び他方のＰＣ梁部材の上部にコンクリートを打設することを特徴とするＰＣ梁部材の接合方法。
【請求項１１】
フルＰＣ部材である一対のＰＣ梁部材の接合方法であって、
一方のＰＣ梁部材には、
当該一方のＰＣ梁部材に埋設され、接合端部まで延びる梁主筋と、当該一方のＰＣ梁部材の接合端部に設けられ、接合端面及び側面に開口する切欠部とを設けておき、
他方のＰＣ梁部材には、
当該他方のＰＣ梁部材に埋設され、接合端部まで延びる梁主筋と、当該他方のＰＣ梁部材の接合端面及び側面に開口し、前記一方のＰＣ梁部材の切欠部とともに梁側面に凹部を形成する切欠部とを設けておき、
前記一方のＰＣ梁部材及び他方のＰＣ梁部材を略一軸上に並ぶように建て込み、
前記凹部に、梁軸方向に伸びる重ね鉄筋が埋設されたＰＣ嵌合部材を嵌入させ、前記重ね鉄筋を前記一方のＰＣ梁部材及び他方のＰＣ梁部材の梁主筋の継ぎ目に跨るように配置させ、
前記ＰＣ嵌合部材と前記凹部との間の空隙にグラウト材を注入することを特徴とするＰＣ梁部材の接合方法。
【請求項１２】
ハーフＰＣ部材である一対のＰＣ梁部材の接合方法であって、
一方のＰＣ梁部材には、
当該一方のＰＣ梁部材に埋設され、接合端部まで延びる下端筋と、当該一方のＰＣ梁部材の上方の側面側に露出されて設けられ、接合端部まで延びる両側の上端筋と、当該一方のＰＣ梁部材の接合端面及び上面に開口する切欠部と、前記両側の上端筋の間に設けられ、前記切欠部の端部まで延びる中央の上端筋とを設けておき、
他方のＰＣ梁部材には、
当該他方のＰＣ梁部材に埋設され、接合端部まで延びる下端筋と、当該他方のＰＣ梁部材の上方の側面側に露出されて設けられ、接合端部まで延びる両側の上端筋と、当該他方のＰＣ梁部材の接合端面及び上面に開口し、前記一方のＰＣ梁部材の切欠部とともに梁上面に凹部を形成する切欠部と、前記両側の上端筋の間に設けられ、前記切欠部の端部まで延びる中央の上端筋とを設けておき、
前記一方のＰＣ梁部材及び他方のＰＣ梁部材を略一軸上に並ぶように建て込み、
前記凹部に、梁の軸方向に延びるように埋設された重ね鉄筋と、梁の軸方向に延びるように露出した上端中継筋とを備えたＰＣ嵌合部材を嵌入することにより、前記重ね鉄筋を前記一方のＰＣ梁部材及び他方のＰＣ梁部材の下端筋の継ぎ目に跨るように配置させるとともに、前記上端中継筋を前記一方のＰＣ梁部材及び他方のＰＣ梁部材の中央の上端筋と略一軸上に並ぶように配置させ、
前記一方のＰＣ梁部材及び他方のＰＣ梁部材の両端の上端筋を重ね継手により接続し、
前記一方のＰＣ梁部材の中央の上端筋及び他方のＰＣ梁部材の中央の上端筋の間に上端中継筋を機械式継手により接合し、
前記ＰＣ嵌合部材と前記凹部との間の空隙にグラウト材を注入し、
前記一方のＰＣ梁部材及び他方のＰＣ梁部材の上部にコンクリートを打設することを特徴とするＰＣ梁部材の接合方法。
【請求項１３】
フルＰＣ部材である一対のＰＣ梁部材の接合構造であって、
一方のＰＣ梁部材には、
当該一方のＰＣ梁部材に埋設され、接合端部まで延びる下端筋と、当該一方のＰＣ梁部材の上方の側面側に埋設され、接合端部まで延びる両側の上端筋と、当該一方のＰＣ梁部材の接合端面及び上面に開口する切欠部と、前記両側の上端筋の間に設けられ、その端部が前記切欠部内に露出する中央の上端筋とを設けておき、
他方のＰＣ梁部材には、
当該他方のＰＣ梁部材に埋設され、接合端部まで延びる下端筋と、当該他方のＰＣ梁部材の上方の側面側に埋設され、接合端部まで延びる両側の上端筋と、当該他方のＰＣ梁部材の接合端面及び上面に開口して、前記一方のＰＣ梁部材の切欠部とともに梁上面に凹部を形成する切欠部と、前記両側の上端筋の間に設けられ、その端部が前記切欠部内に露出する中央の上端筋とを設けておき、
前記一方のＰＣ梁部材及び他方のＰＣ梁部材を略一軸上に並ぶように建て込み、
前記凹部に、梁の軸方向に延びるように下部に埋設された下端重ね鉄筋と、上部の側面側に埋設され、梁の軸方向に延びる両側の上端重ね鉄筋と、前記両側の上端重ね鉄筋の間に設けられ、両端が軸方向端部に露出するように設けられ、梁の軸方向に伸びる中央の上端中継筋とを備えたＰＣ嵌合部材を嵌入して、
前記下端重ね鉄筋を前記一方のＰＣ梁部材及び他方のＰＣ梁部材の下端筋の継ぎ目に跨るように配置させるとともに、前記両側の上端重ね鉄筋を、前記一方のＰＣ梁部材及び他方のＰＣ梁部材の両側の上端筋継ぎ目に跨るように配置させ、
前記中央の上端中継筋を前記一方のＰＣ梁部材及び他方のＰＣ梁部材の中央の上端筋の間に機械式継手により接合し、
前記ＰＣ嵌合部材と前記一方のＰＣ梁部材及び他方のＰＣ梁部材の切欠部との間の空隙にグラウト材が注入することを特徴とするＰＣ梁部材の接合方法。
【発明の詳細な説明】
【技術分野】
【０００１】
本発明は、プレキャストコンクリート梁部材の接合構造及び接合方法に関し、特に梁主筋を重ね継手により継手するプレキャストコンクリート梁部材の接合構造及び接合方法に関する。
【背景技術】
【０００２】
従来より、鉄筋コンクリート造の柱梁架構を構築する際に、工期の短縮及びコストの削減のために、プレキャストコンクリート（以下ＰＣという）部材を用いて柱梁架構を構築することがある。このような柱梁架構を構成する方法として、例えば特許文献１には、図１２に示すようなＰＣ部材による柱梁架構１の構築方法が記載されている。
【０００３】
同図に示すようにこのＰＣ部材による柱梁架構１は、ＰＣ梁部材１４と、ＰＣ柱部材１０と、ＰＣ仕口パネル部材１１とで構成される。ＰＣ仕口パネル部材１１は、直方体状に構成されたＰＣ部材であり、鉛直方向に貫通する複数の柱主筋孔１３と、水平方向に貫通する複数の梁主筋孔１７と、ＰＣ梁主筋孔１７に埋設された梁主筋用継手１６とを備える。ＰＣ梁部材１４はその端部が接合端面より水平方向に突出した梁主筋１５を備える。また、ＰＣ柱部材１０は、柱主筋１８と、柱主筋１８の上端部に接続された柱主筋用の機械式継手１９を備える。
【０００４】
そして、ＰＣ梁部材１４の梁主筋の突出した部分をＰＣ仕口パネル１１の梁主筋孔１７より挿入して、梁主筋用継手１６により固定するとともに、ＰＣ仕口パネル１１の柱主筋孔１３に中継筋１２を挿通して、下階のＰＣ柱の柱主筋用の機械式継手１９に接続することで、ＰＣ柱部材１０、ＰＣ梁部材１４、及びＰＣ仕口パネル部材１１を一体に構築することで、柱梁架構が構築される
また、柱間のスパン長が長い柱梁架構を構築する場合には、ＰＣ梁部材をその中間部で２以上に分割し、分割されたＰＣ梁部材のどちらか一方の接合端部に梁主筋用の機械式継手を設け、この機械式継手により梁主筋同士を接続することにより梁部材を構築することができる。特許文献１には、図１３に示すように、分割したＰＣ梁部材１４をＰＣ仕口パネル部材１１と一体に形成し、このＰＣ仕口パネル部材１１と一体に形成されたＰＣ梁部材１４を水平方向より建て込み、機械式継手９により梁主筋１５を継手することにより、柱梁架構を構築する方法が記載されている。
【特許文献１】特開２００４−２７８２５７号公報
【発明の開示】
【発明が解決しようとする課題】
【０００５】
しかしながら、このようにＰＣ梁部材を分割し、機械式継手を用いてＰＣ梁部材の梁主筋同士を接続する方法を用いる場合には、以下の問題が生じる。
（１）ＰＣ梁部材を製作する際、機械式継手とそれに対応する梁主筋を正確に配置しなければならず、ＰＣ梁部材の製作に手間と時間を要する。
（２）機械式継手は鉄筋に比べて径が大きいため、ＰＣ梁部材の幅を広くする必要があり、コスト高になる。
（３）機械式継手は重ね継手に比べて非常に高価であり、コスト高になってしまう。
（４）ＰＣ梁部材を接合する際、機械式継手に対応する梁主筋を差込むために、ＰＣ梁部材を水平移動させなければならず、手間がかかる。
（５）夫々の継手部分にグラウト材を充填しなければならず、作業の管理に手間がかかる。また、中継筋を仕口パネル部材の上部より差し込む必要があり、視認が困難な柱頭部に継手を設けなければならず、作業性が悪い。
【０００６】
本発明は上記の問題に鑑みなされたものであり、その目的は製作時及び施工時に手間がかからず、コストの削減が可能なＰＣ梁部材の接合構造を提供することである。
【課題を解決するための手段】
【０００７】
本発明の一対のＰＣ梁部材の接合構造は、一対のＰＣ梁部材の接合構造であって、前記一対のＰＣ梁部材はフルＰＣ部材であり、一方のＰＣ梁部材は、当該一方のＰＣ梁部材に埋設され、接合端部まで延びる梁主筋と、当該一方のＰＣ梁部材の接合端面より梁の軸方向に突出するように設けられたＰＣ嵌合部と、前記ＰＣ嵌合部に埋設され、梁の軸方向に延びる重ね鉄筋とを備え、他方のＰＣ梁部材は、当該他方のＰＣ梁部材に埋設され、接合端部まで延びる梁主筋と、当該他方のＰＣ梁部材の接合端面に開口する切欠部とを備え、前記ＰＣ嵌合部が前記他方のＰＣ梁部材の切欠部に嵌入して、前記重ね鉄筋が、前記一方のＰＣ梁部材及び他方のＰＣ梁部材の梁主筋の継ぎ目に跨るように配置され、前記ＰＣ嵌合部と前記他方のＰＣ梁部材の切欠部との間の空隙にグラウト材が注入されてなることを特徴とする。
【０００８】
また、本発明の一対のＰＣ梁部材の接合構造は、前記一対のＰＣ梁部材はハーフＰＣ部材であり、一方のＰＣ梁部材は、当該一方のＰＣ梁部材に埋設され、接合端部まで延びる下端筋と、当該一方のＰＣ梁部材の上部に露出するように設けられ、接合端部まで延びる上端筋と、当該一方のＰＣ梁部材の接合端面より梁の軸方向に突出するように設けられたＰＣ嵌合部と、前記ＰＣ嵌合部に埋設され、梁の軸方向に延びる重ね鉄筋とを備え、他方のＰＣ梁部材は、当該他方のＰＣ梁部材に埋設され、接合端部まで延びる下端筋と、当該他方のＰＣ梁部材の上部に露出するように設けられ、接合端部まで延びる上端筋と、当該他方のＰＣ梁部材の接合端面に開口する切欠部とを備え、前記一方のＰＣ梁部材の上端筋又は他方のＰＣ梁部材の上端筋の何れか一方は、端部に機械式継手を備え、前記ＰＣ嵌合部が前記他方のＰＣ梁部材の切欠部に嵌入して、前記重ね鉄筋は、前記一方のＰＣ梁部材及び他方のＰＣ梁部材の梁主筋の継ぎ目に跨るように配置され、前記機械式継手により前記一方のＰＣ梁部材及び他方のＰＣ梁部材の上端筋が接合され、前記ＰＣ嵌合部と前記他方の切欠部との間の空隙にグラウト材が注入され、前記一方のＰＣ梁部材及び他方のＰＣ梁部材の上部にコンクリートが打設されてなることを特徴とする。
ここで、前記他方のＰＣ梁部材の切欠部の内面及びＰＣ嵌合部の表面に凹凸を有してもよい。
【０００９】
以上のＰＣ梁部材の接合構造によれば、重ね鉄筋が一対の梁主筋の近傍に両梁主筋に跨るように配置されるので、重ね継手により梁主筋の引張り力を伝達することができる。このため、機械式継手により梁主筋を接合する方法に比べて、精度が要求されず、ＰＣ梁部材の製作が容易になる。
【００１０】
また、機械式継手は、鉄筋に比べてその径が大きいためＰＣ梁部材の幅を広くする必要があったが、重ね継手を用いた場合、梁主筋の上方又は下方に重ね鉄筋を配置すればよく、ＰＣ梁部材の幅を広くする必要がない。また、機械式継手に比べ重ね継手は安価であるため、コストの削減が可能である。
【００１１】
さらに、機械式継手を用いて梁主筋を継手する場合には、梁主筋を挿入した夫々の機械式継手にグラウト材を注入しなければならなく手間がかかったが、以上のＰＣ梁部材の接合構造によれば、ＰＣ嵌合部材と切欠部の間の空隙にグラウト材を注入すればよく、作業が容易になる。
【００１２】
また、本発明の一対のＰＣ梁部材の接合構造は、前記一対のＰＣ梁部材はフルＰＣ部材であり、前記一方のＰＣ梁部材は、前記一方のＰＣ梁部材に埋設され、接合端部まで延びる梁主筋と、前記一方のＰＣ梁部材の接合端面及び側面に開口する切欠部とを備え、前記他方のＰＣ梁部材は、前記他方のＰＣ梁部材に埋設され、接合端部まで延びる梁主筋と、前記他方のＰＣ梁部材の接合端面及び側面に開口し、前記一方のＰＣ梁部材の切欠部とともに梁側面に凹部を形成する切欠部とを備え、前記凹部に梁の軸方向に延びる重ね鉄筋が埋設されたＰＣ嵌合部材が嵌入して、前記重ね鉄筋が前記一方のＰＣ梁部材及び他方のＰＣ梁部材の梁主筋の継ぎ目に跨るように配置され、前記ＰＣ嵌合部材と前記凹部との間の空隙にグラウト材が注入されてなることを特徴とする。
【００１３】
上記のＰＣ梁部材の接合構造において、前記一対のＰＣ梁部材は、前記切欠部の通過する部分が省かれたＣ型せん断補強筋と、前記Ｃ型せん断補強筋の両端部に設けられた接続手段とを備え、前記Ｃ型せん断補強筋の両端部を中継するように前記Ｃ型せん断補強筋と中継鉄筋とを前記接続手段で接続してもよい。
【００１４】
また、本発明のＰＣ梁部材の接合構造は、前記一対のＰＣ梁部材は、ハーフＰＣ部材であり、一方のＰＣ梁部材は、当該一方のＰＣ梁部材に埋設され、接合端部まで延びる下端筋と、当該一方のＰＣ梁部材の上方の側面側に露出するように設けられ、接合端部まで延びる両側の上端筋と、当該一方のＰＣ梁部材の接合端面及び上面に開口する切欠部と、前記両側の上端筋の間に設けられ、前記切欠部の端部まで延びる中央の上端筋とを備え、他方のＰＣ梁部材は、当該他方のＰＣ梁部材に埋設され、接合端部まで延びる下端筋と、当該他方のＰＣ梁部材の上方の側面側に露出するように設けられ、接合端部まで延びる両側の上端筋と、当該他方のＰＣ梁部材の接合端面及び上面に開口して、前記一方のＰＣ梁部材の切欠部とともに梁上面に凹部を形成する切欠部と、前記両側の上端筋の間に設けられ、前記切欠部の端部まで延びる中央の上端筋とを備え、梁の軸方向に延びるように埋設された重ね鉄筋と、上部に露出するように設けられ、梁の軸方向に延びる上端中継筋とを備えたＰＣ嵌合部材が、前記凹部に嵌入して、前記重ね鉄筋が前記一方のＰＣ梁部材及び他方のＰＣ梁部材の下端筋の継ぎ目に跨るように配置されるとともに、前記上端中継筋が前記一方のＰＣ梁部材及び他方のＰＣ梁部材の中央の上端筋と略一軸上に並ぶように配置され、前記一方のＰＣ梁部材及び他方のＰＣ梁部材の両端の上端筋が重ね継手により接続され、前記一方のＰＣ梁部材の中央の上端筋及び他方のＰＣ梁部材の中央の上端筋の間に上端中継筋が機械式継手により接合され、前記ＰＣ嵌合部材と前記一方のＰＣ梁部材及び他方のＰＣ梁部材の切欠部との間の空隙にグラウト材が注入され、前記一方のＰＣ梁部材及び他方のＰＣ梁部材の上部にコンクリートが打設されてなることを特徴とする。
【００１５】
また、本発明のＰＣ梁部材の接合構造は、一対のＰＣ梁部材の接合構造であって、前記一対のＰＣ梁部材は、フルＰＣ部材であり、一方のＰＣ梁部材は、当該一方のＰＣ梁部材に埋設され、接合端部まで延びる下端筋と、当該一方のＰＣ梁部材の上方の側面側に埋設され、接合端部まで延びる両側の上端筋と、当該一方のＰＣ梁部材の接合端面及び上面に開口する切欠部と、前記両側の上端筋の間に設けられ、その端部が前記切欠部内に露出する中央の上端筋とを備え、他方のＰＣ梁部材は、当該他方のＰＣ梁部材に埋設され、接合端部まで延びる下端筋と、当該他方のＰＣ梁部材の上方の側面側に埋設され、接合端部まで延びる両側の上端筋と、当該他方のＰＣ梁部材の接合端面及び上面に開口して、前記一方のＰＣ梁部材の切欠部とともに梁上面に凹部を形成する切欠部と、前記両側の上端筋の間に設けられ、その端部が前記切欠部内に露出する中央の上端筋とを備え、梁の軸方向に延びるように下部に埋設された下端重ね鉄筋と、上部の側面側に埋設され、梁の軸方向に延びる両側の上端重ね鉄筋と、前記両側の上端重ね鉄筋の間に設けられ、両端が軸方向端部に露出するように梁の軸方向に伸びる中央の上端中継筋とを備えたＰＣ嵌合部材が、前記凹部に嵌入して、前記下端重ね鉄筋が前記一方のＰＣ梁部材及び他方のＰＣ梁部材の下端筋の継ぎ目に跨るように配置されるとともに、前記両側の上端重ね鉄筋が、前記一方のＰＣ梁部材及び他方のＰＣ梁部材の両側の上端筋の継ぎ目に跨るように配置され、前記中央の上端中継筋が、前記一方のＰＣ梁部材及び前記他方のＰＣ梁部材の中央の上端筋の間に機械式継手により接合され、前記ＰＣ嵌合部材と前記一方のＰＣ梁部材及び他方のＰＣ梁部材の切欠部との間の空隙にグラウト材が注入されてなることを特徴とする。
さらに、前記一方のＰＣ梁部材と他方のＰＣ梁部材の切欠部の内面及びＰＣ嵌合部材の表面に凹凸を有してもよい。
【００１６】
以上のＰＣ梁部材の接合構造によれば、ＰＣ梁部材を鉛直移動のみで建て込むため、柱梁部材の建て込む順序が複雑になることがなく、施工時間を大幅に短縮することができる。また、水平移動により建て込む場合には、ＰＣ梁部材が上部を移動する場所での作業を行うことができず、建て込みに広い用地が必要であるが、垂直移動のみで建て込む場合には、狭い用地で建て込むことができる。
さらに、ＰＣ柱部材を建て込む際に、中継筋の接続を柱の脚部（梁の上面の高さ）で行うので、継手の施工や品質管理が容易になる。
【００１７】
また、本発明のフルＰＣ部材である一対のＰＣ梁部材の接合方法は、一方のＰＣ梁部材には、当該一方のＰＣ梁部材に埋設され、接合端部まで延びる梁主筋と、当該一方のＰＣ梁部材の接合端面より梁の軸方向に突出するように設けられたＰＣ嵌合部と、前記ＰＣ嵌合部に埋設されるとともに、梁の軸方向に延びる重ね鉄筋とを設けておき、他方のＰＣ梁部材には、当該他方のＰＣ梁部材に埋設され、接合端部まで延びる梁主筋と、当該他方のＰＣ梁部材の接合端面に開口する切欠部とを設けておき、前記一方のＰＣ梁部材と他方のＰＣ梁部材とを梁の軸方向に近接させ、前記ＰＣ嵌合部を前記他方のＰＣ梁部材の切欠部に嵌入させ、前記重ね鉄筋を前記一方のＰＣ梁部材及び他方のＰＣ梁部材の梁主筋の継ぎ目に跨るように配置させ、前記ＰＣ嵌合部と前記他方のＰＣ梁部材の切欠部との間の空隙にグラウト材を注入することを特徴とする。
【００１８】
また、本発明のハーフＰＣ部材である一対のＰＣ梁部材の接合方法は、一方のＰＣ梁部材には、当該一方のＰＣ梁部材に埋設され、接合端部まで延びる下端筋と、当該一方のＰＣ梁部材の上部に露出するように設けられ、接合端部まで延びる上端筋と、当該一方のＰＣ梁部材の接合端面より梁の軸方向に突出するように設けられたＰＣ嵌合部と、前記ＰＣ嵌合部に埋設され、梁の軸方向に延びる重ね鉄筋とを設けておき、他方のＰＣ梁部材には、当該他方のＰＣ梁部材に埋設され、接合端部まで延びる下端筋と、当該他方のＰＣ梁部材の上部に露出するように設けられ、接合端部まで延びる上端筋と、当該他方のＰＣ梁部材の接合端面に開口する切欠部とを設けておき、前記一方のＰＣ梁部材の上端筋又は他方のＰＣ梁部材の上端筋の何れか一方には、端部に機械式継手を設けておき、前記一方のＰＣ梁部材又は他方のＰＣ梁部材を梁の軸方向に近接させ、前記ＰＣ嵌合部を前記他方のＰＣ梁部材の切欠部に嵌入させ、前記重ね鉄筋を、前記一方のＰＣ梁部材及び他方のＰＣ梁部材の梁主筋の継ぎ目に跨るように配置させ、前記機械式継手により前記一方のＰＣ梁部材及び他方のＰＣ梁部材の上端筋を接合させ、前記ＰＣ嵌合部と前記他方のＰＣ梁部材の切欠部との間の空隙にグラウト材を注入し、前記一方のＰＣ梁部材及び他方のＰＣ梁部材の上部にコンクリートを打設することを特徴とする。
【００１９】
また、本発明のフルＰＣ部材である一対のＰＣ梁部材の接合方法は、一方のＰＣ梁部材には、当該一方のＰＣ梁部材に埋設され、接合端部まで延びる梁主筋と、当該一方のＰＣ梁部材の接合端部に設けられ、接合端面及び側面に開口する切欠部とを設けておき、他方のＰＣ梁部材には、当該他方のＰＣ梁部材に埋設され、接合端部まで延びる梁主筋と、当該他方のＰＣ梁部材の接合端面及び側面に開口し、前記一方のＰＣ梁部材の切欠部とともに梁側面に凹部を形成する切欠部とを備え、前記一方のＰＣ梁部材及び他方のＰＣ梁部材を略一軸上に並ぶように鉛直上方より建て込み、前記凹部に、梁軸方向に伸びる重ね鉄筋が埋設されたＰＣ嵌合部材を嵌入させ、前記重ね鉄筋を前記一方のＰＣ梁部材及び他方のＰＣ梁部材の梁主筋の継ぎ目に跨るように配置させ、前記ＰＣ嵌合部材と前記凹部との間の空隙にグラウト材を注入することを特徴とする。
【００２０】
また、本発明のハーフＰＣ部材である一対のＰＣ梁部材の接合方法は、一方のＰＣ梁部材には、当該一方のＰＣ梁部材に埋設され、接合端部まで延びる下端筋と、当該一方のＰＣ梁部材の上方の側面側に露出されて設けられ、接合端部まで延びる両側の上端筋と、当該一方のＰＣ梁部材の接合端面及び上面に開口する切欠部と、前記両側の上端筋の間に設けられ、前記切欠部の端部まで延びる中央の上端筋とを設けておき、他方のＰＣ梁部材は、当該他方のＰＣ梁部材に埋設され、接合端部まで延びる下端筋と、当該他方のＰＣ梁部材の上方の側面側に露出されて設けられ、接合端部まで延びる両側の上端筋と、当該他方のＰＣ梁部材の接合端面及び上面に開口し、前記一方のＰＣ梁部材の切欠部とともに梁上面に凹部を形成する切欠部と、前記両側の上端筋の間に設けられ、前記切欠部の端部まで延びる中央の上端筋とを備え、前記一方のＰＣ梁部材及び他方のＰＣ梁部材を略一軸上に並ぶように建て込み、前記凹部に、梁の軸方向に延びるように埋設された重ね鉄筋と、梁の軸方向に延びるように露出した上端中継筋とを備えたＰＣ嵌合部材を嵌入することにより、前記重ね鉄筋を前記一方のＰＣ梁部材及び他方のＰＣ梁部材の下端筋の継ぎ目に跨るように配置させるとともに、前記上端中継筋を前記一方のＰＣ梁部材及び他方のＰＣ梁部材の中央の上端筋と略一軸上に並ぶように配置させ、前記一方のＰＣ梁部材及び他方のＰＣ梁部材の両端の上端筋を重ね継手により接続し、前記一方のＰＣ梁部材の中央の上端筋及び他方のＰＣ梁部材の中央の上端筋の間に上端中継筋を機械式継手により接合し、前記ＰＣ嵌合部材と前記凹部との間の空隙にグラウト材を注入し、前記一方のＰＣ梁部材及び他方のＰＣ梁部材の上部にコンクリートを打設することを特徴とする。
【００２１】
また、本発明のフルＰＣ部材である一対のＰＣ梁部材の接合方法は、フルＰＣ部材である一対のＰＣ梁部材の接合構造であって、一方のＰＣ梁部材には、当該一方のＰＣ梁部材に埋設され、接合端部まで延びる下端筋と、当該一方のＰＣ梁部材の上方の側面側に埋設され、接合端部まで延びる両側の上端筋と、当該一方のＰＣ梁部材の接合端面及び上面に開口する切欠部と、前記両側の上端筋の間に設けられ、その端部が前記切欠部内に露出する中央の上端筋とを設けておき、他方のＰＣ梁部材には、当該他方のＰＣ梁部材に埋設され、接合端部まで延びる下端筋と、当該他方のＰＣ梁部材の上方の側面側に埋設され、接合端部まで延びる両側の上端筋と、当該他方のＰＣ梁部材の接合端面及び上面に開口して、前記一方のＰＣ梁部材の切欠部とともに梁上面に凹部を形成する切欠部と、前記両側の上端筋の間に設けられ、その端部が前記切欠部内に露出する中央の上端筋とを設けておき、前記一方のＰＣ梁部材及び他方のＰＣ梁部材を略一軸上に並ぶように建て込み、前記凹部に、梁の軸方向に延びるように下部に埋設された下端重ね鉄筋と、上部の側面側に埋設され、梁の軸方向に延びる両側の上端重ね鉄筋と、前記両側の上端重ね鉄筋の間に設けられ、両端が軸方向端部に露出するように梁の軸方向に伸びる中央の上端中継筋とを備えたＰＣ嵌合部材を嵌入して、前記下端重ね鉄筋を前記一方のＰＣ梁部材及び他方のＰＣ梁部材の下端筋の継ぎ目に跨るように配置させるとともに、前記両側の上端重ね鉄筋を、前記一方のＰＣ梁部材及び他方のＰＣ梁部材の両側の上端筋継ぎ目に跨るように配置させ、前記中央の上端中継筋を前記一方のＰＣ梁部材及び他方のＰＣ梁部材の中央の上端筋の間に機械式継手により接合し、前記ＰＣ嵌合部材と前記一方のＰＣ梁部材及び他方のＰＣ梁部材の切欠部との間の空隙にグラウト材が注入することを特徴とする。
【発明の効果】
【００２２】
本発明によれば、梁主筋の接合に重ね継手を用いるため、ＰＣ梁部材の製作が容易になる。また、機械式継手を用いた場合に比べコストを削減することができる。さらに、施工時にも、グラウト材の注入を一回で済ますことができ、手間を減らすことができる。
【発明を実施するための最良の形態】
【００２３】
以下、本発明のＰＣ梁部材の接合構造の実施形態を、ＰＣ梁部材がフルＰＣ部材である場合及びハーフＰＣ部材である場合のそれぞれにおいて、ＰＣ梁部材を鉛直方向に建て込む場合及び水平方向に建て込む場合について、図面に基づき説明する。
【００２４】
なお、以下の実施形態では、ＰＣ仕口パネル部材とＰＣ梁部材が一体に形成されている場合について説明するが、ＰＣ仕口パネル部材とＰＣ梁部材が一体に形成されていない場合にも、本発明のＰＣ梁部材の接合構造を用いることができる。
【００２５】
＜ＰＣ梁部材がフルＰＣ部材であり、水平移動によりＰＣ梁部材を建て込む場合＞
まず、ＰＣ梁部材２０、３０がフルＰＣ部材であり、一方のＰＣ梁部材２０を水平移動して、ＰＣ梁部材２０、３０を接合する場合について説明する。
図１（Ａ）はＰＣ梁部材２０、３０が接合構造により接合される前の鉛直方向断面図であり、（Ｂ）は水平方向断面図である。ＰＣ梁部材２０には、接合端面２０Ａより他方のＰＣ梁部材３０側に突出するように、ＰＣ嵌合部材４０が形成されている。また、ＰＣ梁部材３０の接合端面３０Ａには、切欠部３４が形成されており、ＰＣ嵌合部材４０はＰＣ梁部材３０は切欠部３４に嵌合する。
【００２６】
ＰＣ梁部材２０はＰＣ梁部材本体２３と、ＰＣ梁部材本体２３の上部に埋設された複数の上端筋２１と、ＰＣ梁部材本体２３の下部に埋設された複数の下端筋２２と、せん断補強筋（図示せず）とを備える。上端筋２１及び下端筋２２は、その端部がＰＣ梁部材２０の接合端面２０Ａ付近まで到達するように設けられている。
【００２７】
また、他方のＰＣ梁部材３０はＰＣ梁部材本体３３と、ＰＣ梁部材本体３３の上部に埋設された複数の上端筋３１と、ＰＣ梁部材本体３３の下部に埋設された複数の下端筋３２と、せん断補強筋（図示せず）とを備える。上端筋３１及び下端筋３２は、その端部が接合端面３０Ａ付近まで到達するように設けられている。ＰＣ梁部材３０に埋設された上端筋３１及び下端筋３２は、ＰＣ梁部材２０、３０を接合した際に、ＰＣ梁部材２０に埋設された上端筋２１及び下端筋２２と略一軸上に並ぶように配置されている。また、ＰＣ梁部材３０の切欠部３４は接合端面３０Ａに開口するように設けられている。切欠部３４の内面にはコッターが設けられている。
【００２８】
ＰＣ梁部材２０の接合端面２０Ａから突出するＰＣ嵌合部材４０は、コンクリート部本体４３と、コンクリート部本体４３の上部に埋設された上端重ね鉄筋４１と、コンクリート部本体４３の下部に埋設された下端重ね鉄筋４２とを備える。ＰＣ嵌合部材４０の表面には切欠部３４の内面と同様にコッターが設けられている。上端重ね鉄筋４１、４２は、ＰＣ梁部材２０、３０を接合した状態で、夫々上端筋２１、３１及び下端筋２２、３２の近傍に位置するように配置されている。
【００２９】
次に、ＰＣ梁部材２０、３０の接合構造を構築する手順について説明する。
まず、ＰＣ梁部材３０を建て込み、ＰＣ梁部材３０に接続されたＰＣ仕口パネル１１の柱主筋孔１３に中継筋１２を挿通させ、ＰＣ柱部材１０の上部に埋入された機械式継手（図示せず）に接続することでＰＣ梁部材３０をＰＣ柱部材１０に接合する。
【００３０】
次に、揚重機を用いて、ＰＣ梁部材２０を、その軸が他方のＰＣ梁部材３０の軸と略一致するように揚重し、軸方向に水平移動させることにより、ＰＣ嵌合部材４０をＰＣ梁部材３０の切欠部３４に嵌入させる。このように嵌入させた状態では、上端重ね鉄筋４１は上端筋２１、３１の近傍に、これらの上端筋２１、３１の継ぎ目に跨るように位置し、また、下端重ね鉄筋４２は下端筋２２、３２の近傍に、これらの下端筋２２、３２の継ぎ目に跨るように位置する。
【００３１】
次に、ＰＣ梁部材２０と一体に形成されたＰＣ仕口パネル部材１１の柱主筋孔１３に上方から中継筋を挿通させ、ＰＣ柱部材１０の上部に埋入された機械式継手に接続することにより、ＰＣ梁部材２０とＰＣ柱部材１０を接合する。
【００３２】
次に、ＰＣ梁部材の接合端面２０Ａ、３０Ａの隙間からＰＣ嵌合部材４０と切欠部３４の間の空隙にグラウト材を注入する。なお、予め、ＰＣ梁部材２０、３０にグラウト材を注入するためのホースを埋設し、このホースよりグラウト材を圧入してもよい。
注入されたグラウト材は、切欠部３４及びＰＣ嵌合部材４０の表面のコッターの凹部に入り込んで硬化する。これにより、上端筋２１、３１と上端重ね鉄筋４１との間でグラウト材を介して応力を伝達できるため、上端筋２１、３１が重ね継手により接続される。また、同様に、下端筋２２、３２の間も重ね継手により接続され、引張り力の伝達が可能となる。これにより、ＰＣ梁部材２０、３０が接合される。
【００３３】
＜梁部材がハーフＰＣ部材であり、水平移動により梁部材を建て込む場合＞
次に、ＰＣ梁部材１２０、１３０がハーフＰＣ部材であり、一方のＰＣ梁部材１２０を水平移動して、ＰＣ梁部材１２０、１３０を接合する場合について説明する。
図２（Ａ）は、ＰＣ梁部材１２０、１３０が接合される前の鉛直方向断面図であり、（Ｂ）は水平方向断面図である。一方のＰＣ梁部材１２０には、接合端面１２０Ａより他方のＰＣ梁部材１３０側に突出するように、ＰＣ嵌合部１４０が形成されている。また、他方のＰＣ梁部材１３０の接合端面１３０Ａには、切欠部１３４が形成されており、ＰＣ嵌合部１４０はＰＣ梁部材１３０の切欠部１３４に嵌合する。
【００３４】
ＰＣ梁部材１２０は、ＰＣ梁部材本体１２３と、ＰＣ梁部材本体１２３の上部に設けられた複数の上端筋１２１と、ＰＣ梁部材本体１２３の下部に埋設された複数の下端筋１２２と、せん断補強筋（図示せず）を備える。上端筋１２１はＰＣ梁部材本体１２３の上側に露出しており、その先端には機械式継手１２６が設けられている。また、上端筋１２１及び下端筋１２２は、その端部がＰＣ梁部材１２０の接合端面１２０Ａ付近まで到達するように設けられている。
【００３５】
ＰＣ梁部材１３０は、ＰＣ梁部材本体１３３と、ＰＣ梁部材本体１３３の上部に埋設された複数の上端筋１３１と、ＰＣ梁部材本体１３３の下部に埋設された複数の下端筋１３２とを備える。また、上端筋１３１及び下端筋１３２は、その端部がＰＣ梁部材１３０の接合端面１３０Ａ付近まで延びるように設けられている。また、ＰＣ梁部材１３０の上端筋１３１はＰＣ梁部材本体１３３の上側に露出しており、ＰＣ梁部材１２０、１３０を接合した際に、ＰＣ梁部材１２０に埋設された上端筋１２１と一軸上に並ぶように配置されている。また、ＰＣ梁部材１３０の切欠部１３４は接合端面１３０Ａに開口しており、切欠部１３４の内面にはコッターが設けられている。
【００３６】
ＰＣ梁部材１２０の接合端面１２０Ａから突出するＰＣ嵌合部１４０は、コンクリート部本体１４３と、コンクリート部本体１４３の下部に埋設された下端重ね鉄筋１４２を備える。ＰＣ嵌合部１４０の表面には切欠部１３４の内面と同様にコッターが設けられている。下端重ね鉄筋１４２は、ＰＣ梁部材１２０、１３０を接合した状態で、一方の下端筋１２２、１３２の近傍に、これらの下端筋１２２、１３２の継ぎ目に跨るように配置されている。
【００３７】
次に、ＰＣ梁部材１２０、１３０の接合構造を構築する手順について説明する。
まず、ＰＣ梁部材１３０を建て込み、ＰＣ梁部材１３０に接続された仕口パネル１１の柱主筋孔１３に中継筋１２を挿通させ、ＰＣ柱部材１０の上部に埋入された機械式継手（図示せず）に接続することで、ＰＣ梁部材１３０をＰＣ柱部材１０に接合する。
【００３８】
次に、揚重機を用いて、ＰＣ梁部材１２０を、その軸がＰＣ梁部材１３０の軸と略一致するように揚重し、軸方向に水平移動させることにより、ＰＣ嵌合部１４０をＰＣ梁部材１３０の切欠部１３４に嵌入させる。こうして嵌入させた状態では、下端重ね鉄筋１４２は、下端筋１２２、１３２の近傍に埋設されるとともに、これらの下端筋１２２、１３２の継ぎ目に跨るように位置する。
【００３９】
次に、ＰＣ梁部材１２０と一体に形成されたＰＣ仕口パネル部材１１の柱主筋孔１３に中継筋１２を挿通させ、ＰＣ柱部材１０の上部に埋入された機械式継手に接続することにより、ＰＣ梁部材１２０とＰＣ柱部材１０を接合する。
【００４０】
次に、上端筋１２１、１３１を機械式継手１２６により接合する。そして、ＰＣ梁部材の接合端面１２０Ａ、１３０Ａの隙間から、ＰＣ嵌合部１４０と切欠部１３４の間の空隙にグラウト材を注入する。なお、予め、ＰＣ梁部材１２０、１３０にグラウト材を注入するためのホースを埋設し、このホースよりグラウト材を圧入してもよい。
注入されたグラウト材は、切欠部１３４及びＰＣ嵌合部１４０の表面のコッターの凹部に入り込んで硬化する。これにより、一方の下端筋１２２、１３２を、下端重ね鉄筋１４２により重ね継手により接続することができ、引張り力を伝達することができる。
次に、ＰＣ梁部材１２０、１３０の上部にコンクリートを打設する。このコンクリートが硬化する。これによりＰＣ梁部材１２０、１３０が接合される。
【００４１】
以上、説明したフルＰＣ及びハーフＰＣのＰＣ梁部材を水平方向に建て込むＰＣ梁部材の接合構造によれば以下の効果が得られる。
ＰＣ梁部材を製作する際、機械式継手により梁主筋を接合する場合には、機械式継手とそれに対応する梁主筋を正確に配置しなければならないため、手間がかかるが、重ね継手を用いる場合には、重ね鉄筋が梁主筋の近傍に配置されていれば、梁主筋の引張り力を伝達することができるため、ＰＣ梁部材の製作の際の配筋作業に手間がかからない。
【００４２】
また、ＰＣ梁部材の接合構造は梁主筋の上方又は下方に重ね継手を配置するため、ＰＣ梁部材の幅を広くする必要がなく、また、機械式継手に比べ重ね継手は安価であるため、コストの削減が可能である。
【００４３】
さらに、ＰＣ梁部材を建て込む際に、機械式継手を用いて梁主筋を継手する場合には、梁主筋を挿入した夫々の機械式継手にグラウト材を注入しなければならなく手間がかかったが、ＰＣ梁部材の接合構造によれば、ＰＣ嵌合部と切欠部の間の空隙にグラウト材を注入すればよく、グラウトの注入作業を一度で行うことができるので、作業が容易になる。
【００４４】
＜梁部材がフルＰＣ部材であり、鉛直移動により梁部材を建て込む場合＞
次に、ＰＣ梁部材２２０、２３０がフルＰＣ部材であり、一方のＰＣ梁部材２２０を鉛直移動して、ＰＣ梁部材２２０、２３０を接合する場合について説明する。
図３（Ａ）は、ＰＣ梁部材２２０、２３０が接合構造により接合される前の鉛直方向断面図であり、（Ｂ）は水平方向断面図である。また、図４（Ａ）は、ＰＣ梁部材２２０、２３０の接合部付近を拡大した長手方向の鉛直断面図であり、（Ｂ）は、梁の幅方向の鉛直断面図である。図３に示すように、一方のＰＣ梁部材２２０の接合端面２２０Ａには、切欠部２２４が形成されており、また、他方のＰＣ梁部材２３０の接合端面２３０Ａには、切欠部２３４が形成されている。ＰＣ嵌合部材２４０は切欠部２２４、２３４により形成される凹部に嵌合される。
【００４５】
ＰＣ梁部材２２０はＰＣ梁部材本体２２３と、ＰＣ梁部材本体２２３の上部に埋設された複数の上端筋２２１と、ＰＣ梁部材本体２２３の下部に埋設された複数の下端筋２２２と、ＰＣ梁部材本体２２３に埋設された複数のせん断補強筋２２５とを備える。上端筋２２１及び下端筋２２２は、その端部がＰＣ梁部材２２０の接合端面２２０Ａ付近まで到達するように設けられている。
また、ＰＣ梁部材２２０の切欠部２２４は直方体形状であり、接合端面２２０Ａ及び側面に開口している。この切欠部２２４の内面にはコッターが設けられている。
【００４６】
また、図４に示すように、せん断補強筋２２５は、ＰＣ嵌合部材２４０を嵌合する際にＰＣ嵌合部材２４０と干渉しないように、切欠部２２４の通過する部分は省かれており、その端部にはインサート２２９が取り付けられている。
【００４７】
また、他方のＰＣ梁部材２３０はＰＣ梁部材本体２３３と、ＰＣ梁部材本体２３３の上部に埋設された複数の上端筋２３１と、ＰＣ梁部材本体２３３の下部に埋設された複数の下端筋２３２と、ＰＣ梁部材本体２３３に埋設された複数のせん断補強筋２３５とを備える。ＰＣ梁部材２３０に埋設された上端筋２３１及び下端筋２３２は、ＰＣ梁部材２２０、２３０を接合した状態で、ＰＣ梁部材２２０に埋設された上端筋２２１及び下端筋２３２と略一軸上に並ぶように配置されている。
【００４８】
ＰＣ梁部材２３０のＰＣ梁部材２２０との接合端部には、接合端面２３０Ａ及び側面に開口する直方体状の切欠部２３４が設けられている。この切欠部２３４はＰＣ梁部材２２０の切欠部２２４と連続し、梁側面に直方体形状の凹部を構成する。切欠部２３４の内面にはコッターが設けられている。また、図４に示すように、他方のＰＣ梁部材２３０に埋設されたせん断補強筋２３５は、一方のＰＣ梁部材２２０に埋設されたせん断補強筋２２５と同様に、切欠部２３４に相当する部分が省かれており、せん断補強筋２３５の端部にはインサート２３９が接続されている。
【００４９】
ＰＣ嵌合部材２４０は、コンクリート部材本体２４３と、コンクリート部材本体２４３の上部に埋設された上端重ね鉄筋２４１と、コンクリート部材本体２４３の下部に埋設された下端重ね鉄筋２４２と、上端重ね鉄筋２４１及び下端重ね鉄筋２４２を取り囲むようにコンクリート部材本体２４３に埋設されたせん断補強筋２４４とを備える。ＰＣ嵌合部材２４０の表面には切欠部２２４、２３４の内面と同様にコッターが設けられている。
【００５０】
上端重ね鉄筋２４１及び下端重ね鉄筋２３２は、ＰＣ嵌合部材２４０を切欠部２２４、２３４に嵌め込んだ状態で、夫々上端筋２２１、２３１及び下端筋２２２、２３２の近傍に、これらの上端筋２２１、２３１及び下端筋２２２、２３２の継ぎ目に跨るように配置されている。
【００５１】
次に、ＰＣ梁部材の接合構造を構築する手順について説明する。
まず、ＰＣ梁部材２３０を建て込み、このＰＣ梁部材２３０に接続されたＰＣ仕口パネル１１の柱主筋孔１３に中継筋１２を挿通させ、ＰＣ柱部材１０の上部に設けられた機械式継手に接続することで、ＰＣ梁部材２３０をＰＣ柱部材１０に接合する。また、ＰＣ梁部材２２０の側のＰＣ柱部材１０には、あらかじめ、機械式継手に中継筋１２を接続しておく。
【００５２】
次に、揚重機を用いて、ＰＣ梁部材２２０をＰＣ柱部材１０の上方に揚重し、中継筋１２がＰＣ仕口パネル部材１１の柱主筋孔１３を挿通するようにＰＣ梁部材２２０を鉛直下方向に降下させて、ＰＣ梁部材２２０とＰＣ柱部材１０とを接合する。
【００５３】
次に、ＰＣ嵌合部材２４０を揚重し、ＰＣ梁部材２２０、２３０の側方より切欠部２２４、２３４で構成される上記凹部に嵌入する。これにより、上端重ね鉄筋２４１は上端筋２２１、２３１の近傍に、これらの上端筋２２１、２３１の接合部に跨るように配置される。同様に、下端重ね鉄筋２４２は下端筋２２２、２３２の近傍に、これらの下端筋２２２、２３２の接合部に跨がるように配置される。
【００５４】
次に、図５に示すように、せん断補強筋２２５、２３５に接続されたインサート２２９、２３９に中継せん断補強筋を２２７，２３７の端部を接合させる。これにより、せん断補強筋２２５、２３５と中継せん断補強筋２２７、２３７は一体となり、せん断補強筋として機能するようになる。
【００５５】
次に、ＰＣ嵌合部材２４０と切欠部２２４、２３４の間の空隙及びＰＣ嵌合部材２４０の側面側にグラウト材を注入する。このグラウト材が硬化することで、一方の上端筋２２１と他方の上端筋２３１とが上端重ね鉄筋２４１の重ね継手により接続される。また、一方の下端筋２２２と他方の下端筋２３２とが下端重ね鉄筋２４２の重ね継手により接続される。これにより、ＰＣ梁部材２２０、２３０が接合される。
【００５６】
＜梁部材がハーフＰＣ部材であり、鉛直移動により梁部材を建て込む場合＞
次に、ＰＣ梁部材３２０、３３０がハーフＰＣ部材であり、一方のＰＣ梁部材３２０を鉛直移動して、ＰＣ梁部材３２０、３３０を接合する場合について説明する。
図６（Ａ）は、ＰＣ梁部材３２０、３３０が接合構造により接合される前の鉛直方向断面図であり、（Ｂ）は水平方向断面図である。また、図７（Ａ）は、ＰＣ梁部材３２０、３３０の接合部付近を拡大した長手方向の鉛直断面図であり、（Ｂ）は、梁の幅方向の鉛直断面図である。
図６に示すように、一方のＰＣ梁部材３２０の接合端面３２０Ａには、切欠部３２４が形成されている。また、他方のＰＣ梁部材３３０の接合端面３３０Ａには、切欠部３３４が形成されている。ＰＣ嵌合部材３４０は切欠部３２４、３３４により形成される凹部に嵌合される。
【００５７】
ＰＣ梁部材３２０は、ＰＣ梁部材本体３２３と、ＰＣ梁部材本体３２３の上方に設けられた上端筋３２１Ａ、３２１Ｂと、ＰＣ梁部材本体３２３の下部に埋設された複数の下端筋３２２と、ＰＣ梁部材本体３２３に埋設された複数のせん断補強筋３２５とを備える。ＰＣ梁部材３２０の側面側に配置された両端の上端筋３２１Ａ及び下端筋３２２はその端部が接合端面３２０Ａまで延びるように設けられている。中央の上端筋３２１Ｂは、切欠部３２４にＰＣ嵌合部材３４０を嵌合する際にＰＣ嵌合部材３４０と干渉しないように、その端部が切欠部３２４の端部付近に位置しており、この端部には機械式継手３２６が取り付けられている。ＰＣ梁部材３２０のＰＣ梁部材３３０との接合側端部に設けられた切欠部３２４は、接合端面３２０Ａ及び上面方向に開口するような直方体状に形成され、その内面にはコッターが設けられている。
【００５８】
また、図７に示すように、せん断補強筋３２５は、ＰＣ嵌合部材３４０を嵌合する際にＰＣ嵌合部材３４０と干渉しないように、切欠部３２４の上方の部分が省かれている。
【００５９】
また、ＰＣ梁部材３３０はＰＣ梁部材本体３３３と、ＰＣ梁部材本体３３３の上方に露出した上端筋３３１Ａ、３３１Ｂと、ＰＣ梁部材本体３３３の下部に埋設された複数の下端筋３３２と、ＰＣ梁部材本体３３３に埋設された複数のせん断補強筋３３５とを備える。
【００６０】
ＰＣ梁部材３２０と同様に、ＰＣ梁部材３３０の上方の両端の上端筋３３１Ａ及び下端筋３３２は、その端部が接合端面３３０Ａまで延びるように設けられている。中央の上端筋３３１Ｂは、切欠部３３４にＰＣ嵌合部材３４０を嵌入する際にＰＣ嵌合部材３４０と干渉しないように、端部が切欠部３３４の端部付近に位置しており、この端部には機械式継手３３６が取り付けられている。
【００６１】
ＰＣ梁部材３３０の両端の上端筋３３１Ａ及び下端筋３３２は、ＰＣ梁部材３２０、３３０を接合した際に、ＰＣ梁部材３２０の両端の上端筋３２１Ａ及び下端筋３２２と略一軸上に並ぶように配置されている。
他方のＰＣ梁部材３３０のＰＣ梁部材３２０との接合端部には、接合端面３３０Ａ及び上面に開口する直方体状の切欠部３３４が設けられており、この切欠部３３４の内面にはコッターが設けられている。この切欠部３３４は、ＰＣ梁部材３２０の切欠部３２４と連続し、梁上面に直方体形状の凹部を構成する。
【００６２】
また、図７に示すように、せん断補強筋３３５は、ＰＣ嵌合部材３４０を嵌合する際にＰＣ嵌合部材３４０とせん断補強筋３３５が干渉しないように、切欠部３３４の上方の部分が省かれている。
【００６３】
ＰＣ嵌合部材３４０は、コンクリート部材本体３４３と、コンクリート部材本体３４３の上部に配置された上端中継筋３４５と、コンクリート部材本体３４３の下部に埋設された下端重ね鉄筋３４２と、上端中継筋３４５及び下端重ね鉄筋３４２を取り囲むように設けられたせん断補強筋３４４とを備える。ＰＣ嵌合部材３４０は、切欠部３２４、３３４と同様に、表面にコッターが設けられている。上端中継筋３４５は、切欠部３２４、３３４にＰＣ嵌合部材３４０を嵌合させた際に、両端の上端筋３２１Ｂ、３３１Ｂと略一軸上に並ぶように配置されている。また、下端重ね鉄筋３４２は、切欠部３２４、３３４にＰＣ嵌合部材３４０を嵌合させた際に、下端筋３２２、３３２の近傍に、これらの下端筋３２２、３３２の継ぎ目に跨るように配置されている。
【００６４】
次に、ＰＣ梁部材３２０、３３０の接合構造を構築する手順について説明する。
まず、ＰＣ梁部材３３０を建て込み、ＰＣ梁部材３３０に接続されたＰＣ仕口パネル１１の柱主筋孔１３に中継筋１２を挿通させ、ＰＣ柱部材１０の上部に設けられた機械式継手に接続することで、ＰＣ梁部材３３０をＰＣ柱部材１０に接合する。また、ＰＣ梁部材３２０の側のＰＣ柱部材１０には、あらかじめ、機械式継手に中継筋１２を接続しておく。
【００６５】
次に、揚重機を用いて、ＰＣ梁部材３２０を、ＰＣ柱部材１０の上方に揚重し、中継筋１２がＰＣ仕口パネル部材１１の柱主筋孔１３を挿通するようにＰＣ梁部材３２０を鉛直下方向に降下させ、ＰＣ梁部材３２０とＰＣ柱部材１０とを接合する。
【００６６】
次に、図８に示すように、ＰＣ嵌合部材３４０を揚重し、ＰＣ梁部材３２０、３３０の切欠部３２４、３３４で構成される凹部に鉛直上方より嵌入する。これにより、下端重ね鉄筋３４２は下端筋３２２、３３２の近傍に、これらの下端筋３２２、３３２の接合部に跨るように配置される。
【００６７】
次に、ＰＣ梁部材３２０、３３０の中央の上端筋３２１Ｂ、３３１Ｂと、上端中継筋３４５とを機械式継手３２６、３３６により接合する。これにより、中央の上端筋３２１Ｂ、３３１Ｂは引張り力を伝達することができる。また、両端の上端筋３２１Ａ、３３１Ａの接合部跨るように重ね鉄筋３４６を配筋する。
【００６８】
次に、ＰＣ嵌合部材３４０と切欠部３２４、３３４の間の空隙にグラウト材を注入する。このグラウト材が硬化することで、下端筋３２２、３３２が重ね継手により接合される。
【００６９】
次に、ＰＣ梁部材３２０、３３０の上部にコンクリートを打設する。このコンクリートが硬化することで、両端の上端筋３２１Ａ、３３１Ａが重ね継手により接続される。これにより、ＰＣ梁部材３２０、３３０が接合される。
【００７０】
＜梁部材がフルＰＣ部材であり、鉛直移動により梁部材を建て込む場合＞
次に、ＰＣ梁部材４２０、４３０がフルＰＣ部材であり、一方のＰＣ梁部材４２０を鉛直移動して、ＰＣ梁部材４２０、４３０を近接させ、接合部の鉛直上方よりＰＣ嵌合部材４４０を建て込むことで、ＰＣ梁部材４２０、４３０を接合する場合について説明する。
図９（Ａ）は、ＰＣ梁部材４２０、４３０が接合構造により接合される前の鉛直方向断面図であり、（Ｂ）は水平方向断面図である。また、図１０（Ａ）は、ＰＣ梁部材４２０、４３０の接合部付近を拡大した長手方向の鉛直断面図であり、（Ｂ）は、梁の幅方向の鉛直断面図である。
図９に示すように、一方のＰＣ梁部材４２０の接合端面４２０Ａには、切欠部４２４が形成されている。また、他方のＰＣ梁部材４３０の接合端面４３０Ａには、切欠部４３４が形成されている。ＰＣ嵌合部材４４０は切欠部４２４、４３４により形成される凹部に嵌合される。
【００７１】
ＰＣ梁部材４２０は、ＰＣ梁部材本体４２３と、ＰＣ梁部材本体４２３の上部に埋設された上端筋４２１Ａ、４２１Ｂと、ＰＣ梁部材本体４２３の下部に埋設された複数の下端筋４２２と、ＰＣ梁部材本体４２３に埋設された複数のせん断補強筋４２５とを備える。ＰＣ梁部材４２０の側面側に配置された両端の上端筋４２１Ａ及び下端筋４２２はその端部が接合端面４２０Ａまで延びるように設けられている。
切欠部４２４の上部は中央の上端筋４２１Ｂの端部が露出するように軸方向に延び、切欠部４２４内に露出した上端筋４２１Ｂの端部には機械式継手４２６が取り付けられている。ＰＣ梁部材４２０のＰＣ梁部材４３０との接合側端部に設けられた切欠部４２４は、接合端面４２０Ａ及び上面方向に開口するような直方体状に形成され、その内面にはコッターが設けられている。
【００７２】
また、図１０に示すように、せん断補強筋４２５は、ＰＣ嵌合部材４４０を嵌合する際にＰＣ嵌合部材４４０と干渉しないように、切欠部４２４の上方の部分が省かれている。
【００７３】
また、ＰＣ梁部材４３０はＰＣ梁部材本体４３３と、ＰＣ梁部材本体４３３の上部に埋設された上端筋４３１Ａ、４３１Ｂと、ＰＣ梁部材本体４３３の下部に埋設された複数の下端筋４３２と、ＰＣ梁部材本体４３３に埋設された複数のせん断補強筋４３５とを備える。
【００７４】
ＰＣ梁部材４２０と同様に、ＰＣ梁部材４３０の上方の両端の上端筋４３１Ａ及び下端筋４３２は、その端部が接合端面４３０Ａまで延びるように設けられている。切欠部４３４の上部は中央の上端筋４３１Ｂの端部が露出するように軸方向に延び、切欠部４２４内に露出した上端筋４３１Ｂの端部には機械式継手４３６が取り付けられている。
【００７５】
ＰＣ梁部材４３０の両端の上端筋４３１Ａ及び下端筋４３２は、ＰＣ梁部材４２０、４３０を接合した際に、ＰＣ梁部材４２０の両端の上端筋４２１Ａ及び下端筋４２２と略一軸上に並ぶように配置されている。
他方のＰＣ梁部材４３０のＰＣ梁部材４２０との接合端部には、接合端面４３０Ａ及び上面に開口する直方体状の切欠部４３４が設けられており、この切欠部４３４の内面にはコッターが設けられている。この切欠部４３４は、ＰＣ梁部材４２０の切欠部４２４と連続し、梁上面に直方体形状の凹部を構成する。
【００７６】
また、図１０に示すように、せん断補強筋４３５は、ＰＣ嵌合部材４４０を嵌合する際にＰＣ嵌合部材４４０とせん断補強筋４３５が干渉しないように、切欠部４３４の上方の部分が省かれている。
【００７７】
ＰＣ嵌合部材４４０は、コンクリート部材本体４４３と、コンクリート部材本体４４３の上部の側面側に埋設された両側の上端重ね鉄筋４４５Ａと、両側の上端重ね鉄筋４４５Ａの間に埋設された中央の上端中継筋４４５Ｂと、コンクリート部材本体４４３の下部に埋設された下端重ね鉄筋４４２と、両側の上端重ね鉄筋４４５Ａと、中央の上端中継筋４４５Ｂと、下端重ね鉄筋４４２とを取り囲むように設けられたせん断補強筋４４４とを備える。ＰＣ嵌合部材４４０は、切欠部４２４、４３４と同様に、表面にコッターが設けられている。
【００７８】
両端の上端重ね鉄筋４４５Ａは、切欠部４２４、４３４にＰＣ嵌合部材４４０を嵌合させた際に、両側の上端筋４２１Ａ、４３１Ａの近傍に、これらの両側の上端筋４２１Ａ、４３１Ａの継ぎ目に跨るように配置されている。また、中央の上端中継筋４４５Ｂは、切欠部４２４、４３４にＰＣ嵌合部材４４０を嵌合させた際に、両端の上端筋４２１Ｂ、４３１Ｂと略一軸上に並ぶように配置されている。また、下端重ね鉄筋４４２は、切欠部４２４、４３４にＰＣ嵌合部材４４０を嵌合させた際に、下端筋４２２、４３２の近傍に、これらの下端筋４２２、４３２の継ぎ目に跨るように配置されている。
【００７９】
次に、ＰＣ梁部材４２０、４３０の接合構造を構築する手順について説明する。
まず、ＰＣ梁部材４３０を建て込み、ＰＣ梁部材４３０に接続されたＰＣ仕口パネル１１の柱主筋孔１３に中継筋１２を挿通させ、ＰＣ柱部材１０の上部に設けられた機械式継手に接続することで、ＰＣ梁部材４３０をＰＣ柱部材１０に接合する。また、ＰＣ梁部材４２０の側のＰＣ柱部材１０には、あらかじめ、機械式継手に中継筋１２を接続しておく。
【００８０】
次に、揚重機を用いて、ＰＣ梁部材４２０を、ＰＣ柱部材１０の上方に揚重し、中継筋１２がＰＣ仕口パネル部材１１の柱主筋孔１３を挿通するようにＰＣ梁部材４２０を鉛直下方向に降下させ、ＰＣ梁部材４２０とＰＣ柱部材１０とを接合する。
【００８１】
次に、図１１に示すように、ＰＣ嵌合部材４４０を揚重し、ＰＣ梁部材４２０、４３０の切欠部４２４、４３４で構成される凹部に鉛直上方より嵌入する。これにより、下端重ね鉄筋４４２は下端筋４２２、４３２の近傍に、これらの下端筋４２２、４３２の接合部に跨るように配置される。同様に、両端の上端重ね鉄筋４４５Ａは、両側の上端筋２２１Ａ、２３１Ａの近傍に、これら両側の上端筋２２１Ａ、２３１Ａの接合部に跨るように配置される。
【００８２】
次に、ＰＣ梁部材４２０、４３０の中央の上端筋４２１Ｂ、４３１Ｂと、中央の上端中継筋４４５Ｂとを機械式継手４２６、４３６により接合する。これにより、中央の上端筋４２１Ｂ、４３１Ｂは引張り力を伝達することができる。
【００８３】
次に、ＰＣ嵌合部材４４０と切欠部４２４、４３４の間の空隙にグラウト材を注入する。このグラウト材が硬化することで、下端筋４２２、４３２が重ね継手により接合される。これにより、ＰＣ梁部材４２０、４３０が接合される。
【００８４】
以上、説明した鉛直移動によりＰＣ梁部材を建て込む方法によれば、水平移動によりＰＣ梁部材を建て込む方法で得られる効果に加えて以下の効果が得られる。
ＰＣ梁部材を鉛直移動させて建て込むため、柱梁部材の建て込む順序が複雑になることがなく、施工時間を大幅に短縮することができる。水平移動により建て込む場合には、ＰＣ梁部材が上部を移動する場所での作業を行うことができず、建て込みに広い用地が必要であるが、垂直移動のみで建て込む場合には、狭い用地で建て込みを行うことができる。
さらに、柱主筋の継手を行う際に、継手を行うのが柱の脚部（梁の上面の高さ）になるので、継手の施工や品質管理が容易になる。
【００８５】
なお、以上の各実施形態では、ＰＣ嵌合部４０、１４０及びＰＣ嵌合部材２４０、３４０、４４０の表面と、切欠部３４、１３４、２２４、２３４、３２４、３３４、４２４、４３４の内面にコッターを設け、せん断力を伝達する構成としたが、これに限らず、ＰＣ嵌合部４０、１４０とＰＣ嵌合部材２４０、３４０、４４０の表面及び切欠部３４、１３４、２２４、２３４、３２４、３３４、４２４、４３４の内面の何れか一方にダボ筋を設け、他方に凹部を設けておき、ダボ筋と凹部を嵌合させることにより、せん断力を伝達する構成としてもよい。
【図面の簡単な説明】
【００８６】
【図１】（Ａ）は、ＰＣ梁部材２０、３０が接合される前の鉛直方向断面図であり、（Ｂ）は水平方向断面図である。
【図２】（Ａ）は、ＰＣ梁部材１２０、１３０が接合される前の鉛直方向断面図であり、（Ｂ）は水平方向断面図である。
【図３】（Ａ）は、ＰＣ梁部材２２０、２３０が接合される前の鉛直方向断面図であり、（Ｂ）は水平方向断面図である。
【図４】（Ａ）は、ＰＣ梁部材２２０、２３０の接合部付近を拡大した長手方向鉛直断面図であり、（Ｂ）は、梁の幅方向鉛直断面図である。
【図５】ＰＣ嵌合部材２４０を嵌入させた状態のＰＣ梁部材２２０、２３０の鉛直断面図である。
【図６】（Ａ）は、ＰＣ梁部材３２０、３３０が接合される前の鉛直方向断面図であり、（Ｂ）は水平方向断面図である。
【図７】（Ａ）は、ＰＣ梁部材３２０、３３０の接合部付近を拡大した長手方向鉛直断面図であり、（Ｂ）は、梁の幅方向鉛直断面図である。
【図８】ＰＣ嵌合部材３４０を嵌入させた状態のＰＣ梁部材３２０、３３０の鉛直断面図である。
【図９】（Ａ）は、ＰＣ梁部材４２０、４３０が接合される前の鉛直方向断面図であり、（Ｂ）は水平方向断面図である。
【図１０】（Ａ）は、ＰＣ梁部材４２０、４３０の接合部付近を拡大した長手方向鉛直断面図であり、（Ｂ）は、梁の幅方向鉛直断面図である。
【図１１】ＰＣ嵌合部材４４０を嵌入させた状態のＰＣ梁部材４２０、４３０の鉛直断面図である。
【図１２】ＰＣ部材による柱梁架構の構築方法を示す斜視図である。
【図１３】ＰＣ梁部材をその中間部で分割し、ＰＣ梁部材とＰＣ仕口パネル部材とを一体に形成した柱梁架構の構築方法を示す立面図である。
【符号の説明】
【００８７】
１  柱梁架構
１０  ＰＣ柱部材
１１  ＰＣ仕口パネル部材
１２  中継筋
１３  柱主筋孔
２０、１２０、２２０、３２０、４２０  一方のＰＣ梁部材
２０Ａ、１２０Ａ、２２０Ａ、３２０Ａ、４２０Ａ  接合端面
２１、１２１、２２１、３２１  （一方の）上端筋
２２、１２２、２２２、３２２、４２２  （一方の）下端筋
２３、１２３、２２３、３２３、４２３  （一方の）ＰＣ梁部材本体
２２４、３２４、４２４  （一方の）切欠部
３０、１３０、２３０、３３０、４３０  他方のＰＣ梁部材
３０Ａ、１３０Ａ、２３０Ａ、３３０Ａ、４３０Ａ  接合端面
３１、１３１、２３１、３３１  （他方の）上端筋
３２、１３２、２３２、３３２、４３２  （他方の）下端筋
３３、１３３、２３３、３３３、４３３  （他方の）ＰＣ梁部材本体
３４、１３４、２３４、３３４、４３４  （他方の）切欠部
４０、１４０  ＰＣ嵌合部
４１、２４１  上端重ね鉄筋
４２、１４２、２４２、３４２、４４２  下端重ね鉄筋
４３、１４３  コンクリート部本体
１２６、１３６、３２６、３３６、４２６、４３６  機械式継手
２２５、２３５、３２５、３３５、４２５、４３５  せん断補強筋
２２７、２３７  中継せん断補強筋
２２９、２３９  インサート
２４０、３４０、４４０  ＰＣ嵌合部材
２４３、３４３、４４３  コンクリート部材本体
２４４、３４４、４４４  せん断補強筋
３２１Ａ、４２１Ａ  （一方の）両端の上端筋
３２１Ｂ、４２１Ｂ（一方の）中央の上端筋
３２８  上端重ね鉄筋
３３１Ａ、４３１Ａ  （他方の）両端の上端筋
３３１Ｂ、４３１Ｂ  （他方の）中央の上端筋
３４５  上端中継筋
３４６  重ね鉄筋
４４５Ａ  両端の上端重ね鉄筋
４４５Ｂ  中央の上端中継筋
【図１】
0004696739.tif 000002
【図２】
0004696739.tif 000003
【図３】
0004696739.tif 000004
【図４】
0004696739.tif 000005
【図５】
0004696739.tif 000006
【図６】
0004696739.tif 000007
【図７】
0004696739.tif 000008
【図８】
0004696739.tif 000009
【図９】
0004696739.tif 000010
【図１０】
0004696739.tif 000011
【図１１】
0004696739.tif 000012
【図１２】
0004696739.tif 000013
【図１３】
0004696739.tif 000014